(57)【要約】【課題】遠隔から情報処理装置への電源の供給を遮断及び再開するように制御することが可能な情報処理装置、電源制御装置、電源制御方法及び管理システムを提供する。【解決手段】電源供給手段１４は、情報処理手段１２に電源を供給する。切替手段１６は、電源供給手段１４からの電源の供給を許容するか遮断するかを切り替える。タイマ１８は、時間を計測する。情報処理手段１２は、遠隔からの信号に基づいてタイマ１８に時間を設定する。タイマ１８に時間が設定された後、切替手段１６は、電源の供給を遮断するように切り替える。タイマ１８に設定された定時間が経過したときに、切替手段１６は、電源の供給を許容するように切り替える。【選択図】図１
2014164507.tif 000002
【特許請求の範囲】
【請求項１】
情報を処理する情報処理手段と、
前記情報処理手段に電源を供給する電源供給手段と、
前記電源供給手段からの電源の供給を許容するか遮断するかを切り替える切替手段と、
時間を計測するタイマと
を有し、
前記情報処理手段は、遠隔からの信号に基づいて前記タイマに時間を設定し、
前記タイマに時間が設定された後、前記切替手段は、電源の供給を遮断するように切り替え、
前記タイマに設定された時間が経過したときに、前記切替手段は、電源の供給を許容するように切り替える
情報処理装置。
【請求項２】
前記タイマに設定された設定時間が経過したときに、前記タイマは、第１の信号を前記切替手段に出力し、
前記切替手段は、前記タイマから第１の信号を受け付けたときに、電源の供給を許容するように切り替える
請求項１に記載の情報処理装置。
【請求項３】
前記タイマに設定時間が設定されたときに、前記切替手段は、電源の供給を遮断するように切り替える
請求項１又は２に記載の情報処理装置。
【請求項４】
前記タイマに設定時間が設定された後、前記情報処理手段が制御状態に応じて、前記切替手段は、電源の供給を遮断するように切り替える
請求項１又は２に記載の情報処理装置。
【請求項５】
前記タイマは、前記電源供給手段から電源を供給される
請求項１から４のいずれか１項に記載の情報処理装置。
【請求項６】
前記タイマは、前記電源供給手段から交流電源を供給され、交流電源の周波数に基づいて、時間を計測する
請求項５に記載の情報処理装置。
【請求項７】
交流電源を直流電源に変換する変換手段
をさらに有し、
前記情報処理手段には、前記電源供給手段によって供給された交流電源から前記変換手段によって直流に変換された電源が供給される
請求項１から６のいずれか１項に記載の情報処理装置。
【請求項８】
装置への電源の供給を制御する電源制御装置であって、
電源の供給を許容するか遮断するかを切り替える切替手段と、
時間を計測するタイマと
を有し、
前記タイマは、遠隔からの信号に基づいて前記装置によって時間を設定され、
前記タイマに設定時間が設定された後、前記切替手段は、電源の供給を遮断するように切り替え、
前記タイマに設定された設定時間が経過したときに、前記切替手段は、電源の供給を許容するように切り替える
電源制御装置。
【請求項９】
装置への電源の供給を制御する電源制御方法であって、
遠隔からの信号に基づいて前記装置によってタイマに時間を設定するステップと、
前記タイマに設定時間が設定された後、電源の供給を遮断するように切り替えるステップと、
前記タイマに設定された設定時間が経過したときに、電源の供給を許容するように切り替えるステップと
を含む電源制御方法。
【請求項１０】
情報を処理する情報処理装置と、前記情報処理装置を管理する管理端末とがネットワークを介して接続されて構成される管理システムであって、
前記情報処理装置は、
情報を処理する情報処理手段と、
前記情報処理手段に電源を供給する電源供給手段と、
前記電源供給手段からの電源の供給を許容するか遮断するかを切り替える切替手段と、
時間を計測するタイマと
を有し、
前記情報処理手段は、前記管理端末からの信号に基づいて前記タイマに時間を設定し、
前記タイマに時間が設定された後、前記切替手段は、電源の供給を遮断するように切り替え、
前記タイマに設定された時間が経過したときに、前記切替手段は、電源の供給を許容するように切り替える
管理システム。
【発明の詳細な説明】
【技術分野】
【０００１】
本発明は、情報処理装置、電源制御装置、電源制御方法及び管理システムに関し、特に、情報処理装置への電源の供給を管理する情報処理装置、電源制御装置、電源制御方法及び管理システムに関する。
【背景技術】
【０００２】
データセンターにサーバを設置する場合、サーバの管理を、データセンターから離れた遠隔地から行うことが多い。したがって、サーバに問題が生じた場合に、管理者が即座に対応することが困難である場合が多い。
【０００３】
管理者が遠隔にある管理端末等を使用してサーバを管理する際、管理端末が、サーバ内に設けられたＢＭＣ（Baseboard Management Controller）に、ＬＡＮ（Local Area Network）又はインターネット等の通信ネットワークを介してアクセスする。そして、管理端末を用いてＢＭＣを操作することによって、ＢＭＣが、サーバ内のハードウェアの監視等を行う。
【０００４】
管理者が遠隔にある管理端末等を使用してサーバのＡＣ電源をオフした場合、ＢＭＣがシャットダウンするので、その後、遠隔にある管理端末からＢＭＣを使用することができなくなる。よって、この場合、ＢＭＣを用いてサーバのＡＣ電源をオンすることはできない。したがって、遠隔からサーバのＡＣ電源をオフし、その後オンすることができなかった。
【０００５】
また、遠隔からＡＣタップ等のＡＣ電源コネクタを操作してＡＣ電源をオフすることも考えられるが、この場合、サーバへの電力供給が途絶えるため、ＢＭＣが動作しなくなる。したがって、遠隔からＢＭＣを用いて操作することにより、サーバのＡＣ電源をオンすることはできなかった。
【０００６】
また、何らかの理由でＢＭＣが制御不能状態（ストール状態）となった場合、ＢＭＣをリセットし再起動する必要がある。一方、ＢＭＣをリセットするためのリセットスイッチを備えたサーバがあるが、遠隔からリセットスイッチを操作できるようになっていない。したがって、ＢＭＣが制御不能状態となった場合、管理者が、サーバの設置場所に赴いてリセットスイッチを押下し、ＢＭＣを再起動する必要があった。また、ＢＭＣをリセットする手段として、ＡＣ電源を供給するためのＡＣケーブルを引き抜く方法があるが、これも、管理者がサーバの設置場所に赴いて行う必要がある。つまり、ＢＭＣが制御不能状態となった場合、遠隔から対処することができない。
【０００７】
上述した技術に関連し、例えば、特許文献１には、通信回線と接続され、通信回線から通知される電源ＯＮ／ＯＦＦ要求情報を受信する電源ＯＮ／ＯＦＦ受信手段と、受信された電源ＯＮ／ＯＦＦ要求情報に基づいてＡＣ出力をＯＮ／ＯＦＦ制御するＡＣ出力ＯＮ／ＯＦＦ制御手段とを有する電源制御装置が、被電源制御機器のＯＳのシャットダウン完了した後、遠隔の端末装置から被電源制御機器へのＡＣ出力をＯＦＦすることが開示されている。
【０００８】
また、例えば、特許文献２には、サーバ上に存在して外部からのリモート電源制御要求を処理するＢＭＣまたは同様のハードウェア装置に対してクライアントから直接に制御信号(不正な電源制御要求や電源制御要求を含む)が届かないように機器を設定・設置し、代わりにクライアントからの電源制御要求を一括集中して管理する管理サーバを設置して、この管理サーバ上で電源制御要求を受信して電源制御要求の認証をおこない認証できた場合のみ管理サーバが電源制御を代行することが開示されている。
【０００９】
また、例えば、特許文献３には、リモートコントロールによって電源をオン・オフするために使用するリレーとタイマで電源をオフにするのに使用するリレーとを共用した電源制御装置が開示されている。
【先行技術文献】
【特許文献】
【００１０】
【特許文献１】特開２０００−  ９２０９２号公報
【特許文献２】特開２００７−１５６５８７号公報
【特許文献３】特公昭６０−  ５７２９９号公報
【発明の概要】
【発明が解決しようとする課題】
【００１１】
上述したように、遠隔からサーバのＡＣ電源をオフした等によってＢＭＣがシャットダウンした場合、遠隔からサーバの電源をオンすることができない。
【００１２】
本発明の目的は、このような課題を解決するためになされたものであり、遠隔から情報処理装置への電源の供給を遮断及び再開するように制御することが可能な情報処理装置、電源制御装置、電源制御方法及び管理システムを提供することにある。
【課題を解決するための手段】
【００１３】
本発明にかかる情報処理装置は、情報を処理する情報処理手段と、前記情報処理手段に電源を供給する電源供給手段と、前記電源供給手段からの電源の供給を許容するか遮断するかを切り替える切替手段と、時間を計測するタイマとを有し、前記情報処理手段は、遠隔からの信号に基づいて前記タイマに時間を設定し、前記タイマに時間が設定された後、前記切替手段は、電源の供給を遮断するように切り替え、前記タイマに設定された時間が経過したときに、前記切替手段は、電源の供給を許容するように切り替える。
【００１４】
本発明にかかる電源制御装置は、装置への電源の供給を制御する電源制御装置であって、電源の供給を許容するか遮断するかを切り替える切替手段と、時間を計測するタイマとを有し、前記タイマは、遠隔からの信号に基づいて前記装置によって時間を設定され、前記タイマに設定時間が設定された後、前記切替手段は、電源の供給を遮断するように切り替え、前記タイマに設定された設定時間が経過したときに、前記切替手段は、電源の供給を許容するように切り替える。
【００１５】
本発明にかかる電源制御方法は、装置への電源の供給を制御する電源制御方法であって、遠隔からの信号に基づいて前記装置によってタイマに時間を設定するステップと、前記タイマに設定時間が設定された後、電源の供給を遮断するように切り替えるステップと、前記タイマに設定された設定時間が経過したときに、電源の供給を許容するように切り替えるステップとを含む。
【００１６】
本発明にかかる管理システムは、情報を処理する情報処理装置と、前記情報処理装置を管理する管理端末とがネットワークを介して接続されて構成される管理システムであって、前記情報処理装置は、情報を処理する情報処理手段と、前記情報処理手段に電源を供給する電源供給手段と、前記電源供給手段からの電源の供給を許容するか遮断するかを切り替える切替手段と、時間を計測するタイマとを有し、前記情報処理手段は、前記管理端末からの信号に基づいて前記タイマに時間を設定し、前記タイマに時間が設定された後、前記切替手段は、電源の供給を遮断するように切り替え、前記タイマに設定された時間が経過したときに、前記切替手段は、電源の供給を許容するように切り替える。
【発明の効果】
【００１７】
本発明によれば、遠隔から情報処理装置への電源の供給を遮断及び再開するように制御することが可能な情報処理装置、電源制御装置、電源制御方法及び管理システムを提供できる。
【図面の簡単な説明】
【００１８】
【図１】本発明の実施の形態にかかる情報処理装置を示す図である。
【図２】実施の形態１にかかる管理システムを示す図である。
【図３】実施の形態１にかかる管理端末の構成を示す図である。
【図４】実施の形態１にかかる情報処理装置の構成を示す図である。
【図５】図４に示した遠隔管理コントローラによって実現される各構成要素を示す図である。
【図６】管理端末に表示されるタイマ設定画面を例示する図である。
【図７】情報処理装置でなされる電源制御処理を示すフローチャートである。
【発明を実施するための形態】
【００１９】
［本発明にかかる実施の形態の概要］
実施の形態の説明に先立って、図１を用いて、本発明にかかる実施の形態の概要を説明する。図１は、本発明の実施の形態にかかる情報処理装置１を示す図である。図１に示すように、情報処理装置１は、情報を処理する情報処理手段１２と、電源制御装置２０とから構成される。また、電源制御装置２０は、電源供給手段１４と、切替手段１６と、タイマ１８とから構成される。
【００２０】
電源供給手段１４は、情報処理手段１２に電源を供給する。切替手段１６は、電源供給手段１４からの電源の供給を許容するか遮断するかを切り替える。タイマ１８は、時間を計測する。情報処理手段１２は、遠隔からの信号に基づいてタイマ１８に時間を設定する。タイマ１８に時間が設定された後、切替手段１６は、電源の供給を遮断するように切り替える。タイマ１８に設定された定時間が経過したときに、切替手段１６は、電源の供給を許容するように切り替える。
【００２１】
本発明の実施の形態にかかる情報処理装置１によれば、遠隔から情報処理装置１への電源の供給を遮断及び再開するように制御することができる。なお、電源制御装置２０のみであっても、遠隔から電源の供給を遮断及び再開するように制御することができる。
【００２２】
［実施の形態１］
以下、図面を参照して実施の形態について説明する。図２は、実施の形態１にかかる管理システム１００を示す図である。図２に示すように、管理システム１００は、管理端末１２０と、情報処理装置２００とが、ネットワーク１０２を介して接続されている。
【００２３】
ネットワーク１０２は、例えばインターネット、ＬＡＮ、公衆網、専用線又は移動体通信網等であって、有線通信または無線通信による通信網である。管理端末１２０は、例えばＰＣ（Personal computer）、携帯電話又はスマートフォン等であって、コンピュータとしての機能を有する。情報処理装置２００は、例えばサーバであって、データセンター等の、管理端末１２０とは物理的に離れた遠隔地に設置されている。また、情報処理装置２００は、情報を処理するコンピュータとしての機能を有する。システムの管理者は、管理端末１２０を操作することによって、遠隔で情報処理装置２００を管理する。
【００２４】
図３は、管理端末１２０の構成を示す図である。図３に示すように、管理端末１２０は、通信部１２２、出力部１２４、入力部１２６、制御部１２８及び記憶部１３０から構成される。通信部１２２は、情報処理装置２００とネットワーク１０２を介して通信を行うための処理を行う。出力部１２４は、例えば液晶ディスプレイ、ＣＲＴ（Cathode Ray Tube）又はプリンタ等であって、制御部１２８によって処理された情報を、管理者等のユーザに対して視覚的に表示する。入力部１２６は、例えばキーボード、マウス又はタッチパネル等であって、ユーザの操作によって情報を受け付ける。なお、出力部１２４及び入力部１２６は、例えばＧＵＩ（Graphical User Interface）のように一体であってもよい。
【００２５】
制御部１２８は、例えば中央演算処理装置（ＣＰＵ：Central Processing Unit）、メモリ及び入出力ポート等を含み、記憶部１３０に格納された各種プログラムを用いて各種制御を実行する。記憶部１３０は、例えばハードディスクであって、プログラム等の情報を記憶する。なお、情報処理装置２００もまた、管理端末１２０を構成する構成要素を有している。
【００２６】
図４は、情報処理装置２００の構成を示す図である。図４に示すように、情報処理装置２００は、通信コネクタ２０２、マザーボード２１０及び電源制御装置２４０から構成される。マザーボード２１０は、コンピュータを構成する各種ハードウェアの他、これらのハードウェアを管理するための遠隔管理コントローラ２２０を備える。電源制御装置２４０は、例えばＰＳＵ（Power Supply Unit：電力供給装置）であって、図１の電源制御装置２０に対応する。また、電源制御装置２４０は、商用電源（ＡＣ電源；交流電源）を情報処理装置２００に供給するためのＡＣ電源ケーブル２４２、ＡＣ電源コネクタ２４４、リレー回路２４６、タイマ２４８及びＡＣ／ＤＣコンバータ２５０から構成される。
【００２７】
通信コネクタ２０２は、例えばＬＡＮポートであって、ネットワーク１０２に接続されたＬＡＮケーブルを接続するためのコネクタである。さらに、通信コネクタ２０２は、遠隔管理コントローラ２２０と接続される。遠隔管理コントローラ２２０は、例えばＢＭＣであって、図５を用いて後述するような構成要素を有する。遠隔管理コントローラ２２０は、ネットワーク１０２及び通信コネクタ２０２を介して、管理端末１２０に対して情報を送信し、管理端末１２０から情報を受信する。さらに、遠隔管理コントローラ２２０は、管理端末１２０からの情報を用いて、タイマ２４８の設定を行う。
【００２８】
ＡＣ電源コネクタ２４４は、ＡＣ電源ケーブル２４２を接続するためのコネクタである。ＡＣ／ＤＣコンバータ２５０は、ＡＣ電源コネクタ２４４からのＡＣ電流を、電圧の異なるＤＣ電流（直流電流）へと変換するための回路である。これによって、マザーボード２１０上の各装置に、ＤＣ電源が供給される。
【００２９】
リレー回路２４６は、ＡＣ電源コネクタ２４４とＡＣ／ＤＣコンバータ２５０との間に設けられる。リレー回路２４６は、タイマ２４８からの信号に応じて、内蔵されたスイッチをオフ及びオンする。つまり、スイッチがオフ状態のときは、マザーボード２１０への電源の供給がオフ（遮断）され、スイッチがオン状態のときは、マザーボード２１０への電源の供給がオン（許容）される。
【００３０】
タイマ２４８は、遠隔管理コントローラ２２０からの信号に応じて時間を設定する。また、タイマ２４８は、時間が設定されたことに応じて、リレー回路２４６をオフ状態にするための信号（オフ信号）を、リレー回路２４６に対して出力する。さらに、タイマ２４８は、設定された時間（設定時間）が経過すると、リレー回路２４６をオン状態にするための信号（オン信号）を、リレー回路２４６に対して出力する。詳しくは図７を用いて後述する。
【００３１】
また、タイマ２４８は、ＡＣ電源コネクタ２４４とリレー回路２４６との間から、ＡＣ電源を供給され、そのＡＣ電源の交流波形を測定する。これにより、タイマ２４８は、ＡＣ電源の交流波形の周期から、時間を算出することができる。つまり、ＡＣ電源（商用電源）の周波数は、地域によって５０Ｈｚ又は６０Ｈｚであるので、交流波形をカウントし、そのカウントされた波形の１周期の数と周波数とから、時間を算出できる。このように、タイマ２４８は、交流電源を利用して時間計測を行うことができる。さらに、タイマ２４８は、リレー回路２４６の手前からＡＣ電源を供給されているので、リレー回路２４６がオフ状態であり、遠隔管理コントローラ２２０への電源の供給が遮断されている場合であっても、ＡＣ電源コネクタ２４４からタイマ２４８に電源を供給させることができる。
【００３２】
図５は、図４に示した遠隔管理コントローラ２２０によって実現される各構成要素を示す図である。図５に示すように、遠隔管理コントローラ２２０は、タイマ設定要求受付部２２２、タイマ設定画面表示処理部２２４、タイマ設定受付部２２６及びタイマ設定処理部２２８から構成される。
【００３３】
なお、遠隔管理コントローラ２２０が実現する各構成要素は、例えば、遠隔管理コントローラ２２０が備える演算装置（図示せず）の制御によって、プログラムを実行させることによって実現できる。より具体的には、遠隔管理コントローラ２２０に含まれる記録媒体（図示せず）に格納されたプログラムをメモリ（図示せず）にロードし、演算装置の制御によってプログラムを実行して実現する。また、各構成要素は、プログラムによるソフトウェアで実現することに限ることなく、ハードウェア、ファームウェア、及びソフトウェアのうちのいずれかの組み合わせ等により実現してもよい。
【００３４】
タイマ設定要求受付部２２２は、管理端末１２０から、情報処理装置２００に対して電源制御を行う旨の要求を示す信号（電源制御要求信号）を受け付け、タイマ設定画面表示処理部２２４に対して出力する。タイマ設定画面表示処理部２２４は、電源制御要求信号を受け付けると、図６に例示するようなタイマ設定画面を、管理端末１２０の出力部１２４に表示させるための処理を行う。
【００３５】
図６は、遠隔管理コントローラ２２０によって管理端末１２０に表示されるタイマ設定画面を例示する図である。タイマ設定画面は、「タイマ設定時間」ボタンと、「すぐに電源ＯＦＦ」ボタンと、「ＯＫ」ボタンとを含む。タイマ設定画面表示処理部２２４は、タイマ設定画面を表示させるのに必要な情報（タイマ設定画面情報）を、通信コネクタ２０２及びネットワーク１０２を介して、管理端末１２０の通信部１２２に対して送信する。
【００３６】
管理端末１２０の通信部１２２がタイマ設定画面情報を受信すると、制御部１２８は、タイマ設定画面情報に対して必要な処理を施して、出力部１２４にタイマ設定画面を表示させる。管理者は、管理端末１２０の入力部１２６を操作することによって、タイマ設定時間を設定することができる。さらに、管理者は、管理端末１２０の入力部１２６を操作することによって、「すぐに電源ＯＦＦ」するか否かを選択することができる。管理者の入力部１２６への操作に応じて、通信部１２２は、設定時間を示す情報（設定時間情報）と、「すぐに電源ＯＦＦ」が選択されたことを示すフラグ（電源ＯＦＦフラグ）とを含む設定情報を、ネットワーク１０２及び通信コネクタ２０２を介して、タイマ設定受付部２２６に送信する。
【００３７】
例えば、入力部１２６及び出力部１２６が、ディスプレイとマウスとから構成されるＧＵＩである場合、出力部１２６に図６のタイマ設定画面が表示され、「タイマ設定時間」ボタンをマウス等でクリックすることによって、設定時間を設定できる。さらに、「すぐに電源ＯＦＦ」ボタンをクリックすることによって、すぐに電源をＯＦＦすることを選択できる。そして、設定が終了すると、「ＯＫ」ボタンをクリックすることによって、設定情報が送信される。
【００３８】
タイマ設定受付部２２６（図５）は、設定情報を受け付け、タイマ設定処理部２２８に対して出力する。タイマ設定処理部２２８は、設定情報の内容に応じて、タイマ２４８の設定を行う。具体的には、図７を用いて後述する。
【００３９】
図７は、情報処理装置２００でなされる電源制御処理を示すフローチャートである。遠隔管理コントローラ２２０のタイマ設定処理部２２８は、タイマ２４８に対して設定時間を設定する（Ｓ１００）。具体的には、タイマ設定処理部２２８は、設定時間情報に示された時間（例えば０分または５分など）を、タイマ２４８に設定させるための処理を行う。
【００４０】
このとき、タイマ設定処理部２２８は、電源ＯＦＦフラグが設定情報に含まれているか否かを判断する（Ｓ１０２）。電源ＯＦＦフラグが含まれる場合（Ｓ１０２のＹＥＳ）、すぐにリレー回路２４６がオフする（Ｓ１０４）。具体的には、設定情報に電源ＯＦＦフラグが含まれる場合、タイマ設定処理部２２８は、すぐにリレー回路２４６をオフするように、タイマ２４８を制御する。このとき、タイマ２４８は、リレー回路２４６に対してオフ信号を出力する。これによって、リレー回路２４６はオフ状態となり、電源の供給も遮断される。このように、タイマ設定後すぐに電源をオフすることが選択されることによって、タイマ設定後すぐに電源の供給を遮断することができる。
【００４１】
一方、電源ＯＦＦフラグが含まれない場合（Ｓ１０２のＮＯ）は、タイマ設定処理部２２８は、すぐにリレー回路２４６をオフするようにタイマ２４８を制御しない。したがって、リレー回路２４６はオフ状態とならない。その後、トラブル等によって遠隔管理コントローラ２２０が制御不能となった場合（Ｓ１０６のＹＥＳ）、タイマ２４８はリレー回路２４６に対してオフ信号を出力し、リレー回路２４６はオフ状態となる（Ｓ１０４）。具体的には、例えば、遠隔管理コントローラ２２０は、制御不能となるまで、制御可能状態であることを示す信号をタイマ２４８に常時出力しており、その信号が途絶えたことを検知して、タイマ２４８がリレー回路２４６に対してオフ信号を出力するようにしてもよい。このように、タイマ２４８が、遠隔管理コントローラ２２０が制御不能となったか否かを監視しているので、遠隔管理コントローラ２２０が制御不能となった場合でも、管理者が管理端末１２０を操作することなく（遠隔管理コントローラ２２０を用いることなく）、電源の供給を遮断することができる。
【００４２】
タイマ２４８に設定された時間が０でない場合（Ｓ１１０のＮＯ）、タイマ２４８は、リレー回路２４６をオンするための準備（リレーＯＮ準備）を行う（Ｓ１１２）。具体的には、タイマ２４８は、設定時間からカウントダウンを開始する。そして、残り時間が０でない場合（Ｓ１１４のＮＯ）、時間を減算する（Ｓ１１６）。そして、Ｓ１１４及びＳ１１６を繰り返し、残り時間が０となると（設定時間が経過すると）（Ｓ１１４のＹＥＳ）、タイマ２４８はリレー回路２４６に対してオン信号を出力し、リレー回路２４６はオン状態となる（Ｓ１２２）。具体的には、例えば、設定時間が５分である場合、タイマ２４８に時間が設定され、リレーＯＮ準備がなされると、５分後に、リレー回路２４６がオン状態となり、情報処理装置２００に電源が供給される。
【００４３】
一方、タイマ２４８に設定された時間が０である場合（Ｓ１１０のＹＥＳ）、タイマ２４８はカウントダウンを開始せず、タイマ２４８は、リレー回路２４６に対してオン信号を出力しない。したがって、リレー回路２４６は、オフ状態のままである。その後、情報処理装置２００の設置場所に赴いた管理者によって、ＡＣ電源ケーブル２４２がＡＣ電源コネクタ２４４から抜かれ、さらに再びＡＣ電源コネクタ２４４に差し込まれた場合（Ｓ１２０のＹＥＳ）、リレー回路２４６がオン状態となるようになっている（Ｓ１２２）。具体的には、例えば、リレー回路２４６は、ＡＣ電源の供給がなくなった後、再び供給がなされると、オン状態となるようにしてもよい。
【００４４】
リレー回路２４６がオン状態となると、遠隔管理コントローラ２２０に電源が供給されるので、遠隔管理コントローラ２２０が起動する（Ｓ１２４）。そして、遠隔管理コントローラ２２０は、タイマ２４８の設定をリセットする（Ｓ１２６）。
【００４５】
このように、タイマ２４８の設定に応じて電源を遮断することによって、遠隔から情報処理装置２００（遠隔管理コントローラ２２０）への電源の供給を遮断するように制御することができる。さらに、タイマ２４８の設定時間が経過したことによって電源の供給を許容することによって、遠隔から情報処理装置２００（遠隔管理コントローラ２２０）への電源の供給を許容するように制御することができる。また、設定時間が経過したときに、タイマ２４８がリレー回路２４６に対してオン信号を出力するので、遠隔管理コントローラ２２０に電源が供給されていない状態であっても、電源の供給を許容することができる。
【００４６】
また、ＡＣ電源がオフとなってからＡＣ電源がオンとなるまでの時間を、遠隔から管理端末１２０を使用してタイマ２４８に設定できるので、管理者が情報処理装置２００の設置場所に到着する時間に応じて、管理者は、適宜、ＡＣ電源をオンする時間を設定することができる。
【００４７】
また、上記のように情報処理装置２００が構成されていない場合、遠隔管理コントローラ２２０が制御不能となったとき、仮に、遠隔から管理端末１２０を使用して遠隔管理コントローラ２２０へのＤＣ電源の供給を遮断したとしても、ＡＣ電源は供給されるので、スタンバイ電源が消費されてしまう。一方、上記のように情報処理装置２００が構成されることによって、遠隔から管理端末１２０を使用してＡＣ電源の供給を遮断でき、さらにその後、ＡＣ電源の供給を許容することができる。したがって、遠隔からＡＣ電源の供給を遮断することによって、管理者が情報処理装置２００の設置場所へ赴くまでの間の、スタンバイ電源の消費を抑制することができる。
【００４８】
［変形例］
なお、本発明は上記実施の形態に限られたものではなく、以下のように、趣旨を逸脱しない範囲で適宜変更することが可能である。
【００４９】
図７に示したフローチャートにおいて、処理（ステップ）の順序は、適宜、変更可能である。また、複数ある処理（ステップ）のうちの１つ以上は、省略されてもよい。例えば、Ｓ１０２及びＳ１０６の処理を省略することによって、遠隔からタイマ２４８に時間が設定されると、すぐに、リレー回路２４６がオフ状態となるようにしてもよい。一方、Ｓ１０２の処理を省略し、Ｓ１００からＳ１０６へと遷移することによって、遠隔からタイマ２４８に時間が設定され、遠隔管理コントローラ２２０が制御不能となるまで、リレー回路２４６がオフ状態とならないようにしてもよい。
【００５０】
また、図７のＳ１２０の処理において、ＡＣ電源ケーブル２４２が抜き差しされた場合にリレー回路２４６がオン状態となるとしたが、このような構成に限られない。例えば、情報処理装置２００にリセットスイッチを設けてもよく、そのリセットスイッチを管理者が押下することによって、リレー回路２４６がオン状態となるようにしてもよい。
【００５１】
また、上述した実施の形態においては、遠隔管理コントローラ２２０のタイマ設定画面表示処理部２２４によって管理端末１２０にタイマ設定画面が表示されるとしたが、このような構成に限られない。例えば、管理端末１２０にタイマ設定のためのアプリケーションがインストールされていてもよく、そのアプリケーションの処理により、遠隔管理コントローラ２２０を制御してもよい。具体的には、管理端末１２０にインストールされたアプリケーションによって、出力部１２４にタイマ設定画面を表示させてもよい。
【００５２】
また、上述した実施の形態においては、電源制御装置２４０は、情報処理装置２００の内部に設けられるとしたが、このような構成に限られない。例えば、電源制御装置２４０は、情報処理装置２００とは別個に設けられるようにしてもよく、汎用のサーバに電源制御装置２４０を取り付けるようにしてもよい。また、上述した実施の形態においては、管理端末１２０及び情報処理装置２００はそれぞれ１つであるとしたが、それぞれ複数であってもよい。
【符号の説明】
【００５３】
１  情報処理装置
１２  情報処理手段
１４  電源供給手段
１６  切替手段
１８  タイマ
２０  電源制御装置
１００  管理システム
１０２  ネットワーク
１２０  管理端末
１２２  通信部
１２４  出力部
１２６  入力部
１２６  出力部
１２８  制御部
１３０  記憶部
２００  情報処理装置
２０２  通信コネクタ
２１０  マザーボード
２２０  遠隔管理コントローラ
２２２  タイマ設定要求受付部
２２４  タイマ設定画面表示処理部
２２６  タイマ設定受付部
２２８  タイマ設定処理部
２４０  電源制御装置
２４２  ＡＣ電源ケーブル
２４４  ＡＣ電源コネクタ
２４６  リレー回路
２４８  タイマ
２５０  ＡＣ／ＤＣコンバータ
【図１】
2014164507.tif 000003
【図２】
2014164507.tif 000004
【図３】
2014164507.tif 000005
【図４】
2014164507.tif 000006
【図５】
2014164507.tif 000007
【図６】
2014164507.tif 000008
【図７】
2014164507.tif 000009